(57)【要約】【課題】機器本体の外装に配置される樹脂製の蓋部材を薄く形成できる蓋構造を提供する。【解決手段】ヒンジ２２に一体的に形成され、電池蓋２０をヒンジ２０に対してクリックロックするバネ片３８Ｒ、３８Ｌを一対で構成するととともに、左右対称に配置する。これにより、電池蓋２０がバネ片３８Ｒ、３８Ｌから受ける力を周辺に移動させることができ、電池蓋２０を薄型化した場合であっても、撓みが生じるのを防止できる。【選択図】      図４
2008103265.tif 000002
【特許請求の範囲】
【請求項１】
板状に形成され、機器本体の外装面に形成された凹部にスライドさせて嵌め合わせることにより、その内側に形成された係合部が前記機器本体に形成された被係合部に係合して、前記凹部の内側に形成された収納室の開口部を閉じる樹脂製の蓋部材と、前記蓋部材を前記機器本体に対して揺動自在に支持するとともに、ロック位置とロック解除位置との間でスライド自在に支持する金属性のヒンジ部材と、前記ヒンジ部材に一体的に形成され、先端に突起部を有するバネ片と、前記蓋部材の内側に形成され、前記蓋部材が前記ロック位置に位置すると、前記バネ片の突起部が嵌入されるロック用嵌入部と、前記蓋部材の内側に形成され、前記蓋部材が前記ロック解除位置に位置すると、前記バネ片の突起部が嵌入されるロック解除用嵌入部とからなる蓋構造において、
前記バネ片が一対で構成されるとともに、該バネ片に対応して前記ロック用嵌入部と前記ロック解除用嵌入部とが、それぞれ一対で構成されることを特徴とする蓋構造。
【請求項２】
前記一対のバネ片が、前記ヒンジ部材に左右対称に配置されるとともに、該バネ片に対応して前記一対のロック用嵌入部と前記一対のロック解除用嵌入部とが、それぞれ前記蓋部材の内側に左右対称に配置されることを特徴とする請求項１に記載の蓋構造。
【請求項３】
前記蓋部材の内側には、前記一対のロック用嵌入部又は前記一対のロック解除用嵌入部の間に補強用のリブが形成されることを特徴とする請求項１又は２に記載の蓋構造。
【請求項４】
前記蓋部材の内側には、一対のガイド部が形成され、該ガイド部が前記ヒンジ部材にスライド自在に支持されるとともに、該ガイド部の近傍に前記ロック用嵌入部とロック解除用嵌入部が形成されることを特徴とする請求項１、２又は３に記載の蓋構造。
【請求項５】
前記ヒンジ部材に一体的に形成され、前記一対のバネ片の中間位置に配置されたストッパ片と、
前記ストッパ片に対応して前記蓋部材の内側に形成され、その底部を前記バネ片が摺動して、前記蓋部材のスライド範囲を前記ロック位置と前記ロック解除位置との間に規制するストッパ用凹部と、
を有することを特徴とする請求項１、２、３又は４に記載の蓋構造。
【発明の詳細な説明】
【技術分野】
【０００１】
本発明は蓋構造に係り、特にデジタルカメラ等の携帯機器の外装に設けられる電池蓋の蓋構造に関する。
【背景技術】
【０００２】
デジタルカメラのように、電池交換が可能な携帯機器の場合、通常、電池は機器本体に形成された電池室に収容され、その電池室の開口部は開閉自在な電池蓋で覆われる。
【０００３】
このような携帯機器の電池蓋の開閉構造の一つとして、電池蓋を板状に形成し、機器本体の外装にスライドさせて取り付ける方法が知られている。この場合、機器本体と電池蓋とが分離した構造となることから、電池蓋をヒンジによって揺動自在に支持するとともに、そのヒンジに対して電池蓋をスライド自在に支持する構成が知られている。そして、このようにヒンジに対して電池蓋をスライド自在に支持する構成において、電池蓋の所定位置でクリックロックするため、金属性のヒンジにバネ片を一体的に形成し、このバネ片の先端に形成された突起部を電池蓋に形成された嵌入部に嵌入させて、電池蓋を所定位置でクリックロックする構成が知られている（たとえば、特許文献１〜３参照）。
【特許文献１】特開平１１−３３１６６６号公報
【特許文献２】特開２００４−２００３９７号公報
【特許文献３】特開２００６−４９１３１号公報
【発明の開示】
【発明が解決しようとする課題】
【０００４】
ところで、近年、デジタルカメラ等の携帯機器は、小型、軽量、薄型化が進んでおり、電池蓋等の蓋部材も薄く小さく形成されるようになってきている。また、デザイン上の要請からも、電池蓋等の蓋材は薄く小さく形成されるようになってきている。
【０００５】
しかしながら、従来の電池蓋のクリック機構は、バネ片が電池蓋の中央に配置され、中央一点で電池蓋を押圧する構成のため、電池蓋を薄く形成すると、そのバネ片の押圧力により、電池蓋に撓みが生じるという欠点がある。特に樹脂製の電池蓋の場合には、薄く形成すると、撓み量が大きくなり、スムーズな開閉ができなくなるという欠点がある。
【０００６】
本発明は、このような事情に鑑みてなされたもので、機器本体の外装に配置される樹脂製の蓋部材を薄く形成できる蓋構造を提供することを目的とする。
【課題を解決するための手段】
【０００７】
請求項１に係る発明は、前記目的を達成するために、板状に形成され、機器本体の外装面に形成された凹部にスライドさせて嵌め合わせることにより、その内側に形成された係合部が前記機器本体に形成された被係合部に係合して、前記凹部の内側に形成された収納室の開口部を閉じる樹脂製の蓋部材と、前記蓋部材を前記機器本体に対して揺動自在に支持するとともに、ロック位置とロック解除位置との間でスライド自在に支持する金属性のヒンジ部材と、前記ヒンジ部材に一体的に形成され、先端に突起部を有するバネ片と、前記蓋部材の内側に形成され、前記蓋部材が前記ロック位置に位置すると、前記バネ片の突起部が嵌入されるロック用嵌入部と、前記蓋部材の内側に形成され、前記蓋部材が前記ロック解除位置に位置すると、前記バネ片の突起部が嵌入されるロック解除用嵌入部とからなる蓋構造において、前記バネ片が一対で構成されるとともに、該バネ片に対応して前記ロック用嵌入部と前記ロック解除用嵌入部とが、それぞれ一対で構成されることを特徴とする蓋構造を提供する。
【０００８】
請求項１に係る発明によれば、バネ片が一対で構成されるとともに、そのバネ片に対応してロック用嵌入部とロック解除用嵌入部とが、それぞれ一対で構成される。これにより、蓋部材がバネ片から受ける力を分散させることができ、蓋部材を薄型化した場合であっても、撓みが生じるのを防止できる。
【０００９】
請求項２に係る発明は、前記目的を達成するために、前記一対のバネ片が、前記ヒンジ部材に左右対称に配置されるとともに、該バネ片に対応して前記一対のロック用嵌入部と前記一対のロック解除用嵌入部とが、それぞれ前記蓋部材の内側に左右対称に配置されることを特徴とする請求項１に記載の蓋構造を提供する。
【００１０】
請求項２に係る発明によれば、一対で構成されたバネ片がヒンジ部材に対して左右対称に配置されるとともに、そのバネ片に対応してロック用嵌入部とロック解除用嵌入部とが、蓋部材の内側に左右対称に配置される。これにより、蓋部材がバネ片から受ける力を周辺に移動させることができ、蓋部材を薄型化した場合であっても、撓みが生じるのを防止できる。
【００１１】
請求項３に係る発明は、前記目的を達成するために、前記蓋部材の内側には、前記一対のロック用嵌入部又は前記一対のロック解除用嵌入部の間に補強用のリブが形成されることを特徴とする請求項１又は２に記載の蓋構造を提供する。
【００１２】
請求項３に係る発明によれば、ロック用嵌入部又はロック解除用嵌入部の間に補強用のリブが形成される。これにより、蓋部材を薄く形成した場合であっても、強度を確保することができる。
【００１３】
請求項４に係る発明は、前記目的を達成するために、前記蓋部材の内側には、一対のガイド部が形成され、該ガイド部が前記ヒンジ部材にスライド自在に支持されるとともに、該ガイド部の近傍に前記ロック用嵌入部とロック解除用嵌入部が形成されることを特徴とする請求項１、２又は３に記載の蓋構造を提供する。
【００１４】
請求項４に係る発明によれば、蓋部材をスライド自在にガイドするガイド部の近傍にロック用嵌入部とロック解除用嵌入部が配置される。これにより、蓋部材を薄く形成した場合であっても、強度を確保することができる。
【００１５】
請求項５に係る発明は、前記目的を達成するために、前記ヒンジ部材に一体的に形成され、前記一対のバネ片の中間位置に配置されたストッパ片と、前記ストッパ片に対応して前記蓋部材の内側に形成され、その底部を前記バネ片が摺動して、前記蓋部材のスライド範囲を前記ロック位置と前記ロック解除位置との間に規制するストッパ用凹部と、を有することを特徴とする請求項１、２、３又は４に記載の蓋構造を提供する。
【００１６】
請求項５に係る発明によれば、一対のバネ片の中間位置に蓋部材のスライド範囲を規制するストッパ片が配置される。これにより、蓋部材がバネ片を含め三点で支持され、ガタつくことなく安定した状態で支持される。
【発明の効果】
【００１７】
本発明に係る蓋構造によれば、機器本体の外装に配置される樹脂製の蓋部材を薄く形成することができる。
【発明を実施するための最良の形態】
【００１８】
以下、添付図面を参照して本発明に係る蓋構造を実施するための最良の形態について説明する。
【００１９】
図１は、本発明に係る蓋構造が電池蓋に適用されたデジタルカメラの一例を示す正面斜視図であり、図２は、その電池蓋を開いた状態を示す図である。
【００２０】
同図に示すように、このデジタルカメラ１０は、いわゆるコンパクトタイプのデジタルカメラであり、そのカメラボディ（カメラ本体）１２は、前後方向に薄く平たい矩形の箱型に形成されている。
【００２１】
カメラボディ１２の正面には、板状に形成されたレンズカバー１４が取り付けられている。このレンズカバー１４は、カバー開位置とカバー閉位置との間を横方向にスライド自在に支持されている。撮影レンズ１６は、カメラボディ１２の正面右上隅に配置されており、このレンズカバー１４を開位置にスライドさせることにより、正面に露出する（図１、図２は、ともにレンズカバー１４が閉じられた状態（カバー閉位置に位置した状態）が示されている）。
【００２２】
なお、図示されていないが、カメラボディ１２の上面にはレリーズボタンやマイクが設けられており、背面には液晶モニタや各種操作ボタン（ズームボタン、メニューボタン、実行ボタン、キャンセルボタン、モードスイッチ等）が設けられている。
【００２３】
電池蓋（蓋部材）２０は、カメラボディ１２の底面に設けられており、ヒンジ２２を介して揺動自在に支持されている。この電池蓋２０は、樹脂材（たとえば、ＡＢＳ樹脂やポリカーボネート樹脂等）によって長方形の板状に形成されており、閉じられると、カメラボディ１２の外装と一体となって底面の一部を構成する。すなわち、カメラボディ１２の底面には、この電池蓋２０が嵌合可能な凹部２４が形成されており、電池蓋２０は、この凹部２４に嵌め合わせることにより、カメラボディ１２の外装と一体となって底面の一部を構成する。
【００２４】
この際、電池蓋２０は、カメラボディ１２の底面に沿ってスライドさせて、凹部２４に嵌め合わされる。これは後述するように、電池蓋２０の内側面に形成された係合部５２Ｒ、５２Ｌをカメラボディ側に形成された被係合部５４Ｒ、５４Ｌに係合させて、電池蓋２０をカメラボディ１２に係止（ロック）するためである。このため、電池蓋２０は、ヒンジ２２に対してスライドできるように、所定の開位置と閉位置との間をスライド自在に支持されている。
【００２５】
なお、図示されていないが、凹部２４の内側には、電池収納室とメモリカードスロットとが形成されている。電池蓋２０を開けると、これらの開口部が露出し、電池及びメモリカードの交換が可能になる。
【００２６】
図３〜図７は、それぞれ電池蓋２０の構成を示す斜視図、平面図、側面図、側面断面図（図４の６−６断面図）、正面図である。なお、図３〜図６において、（ａ）は電池蓋２０がヒンジ２２に対して閉位置に位置した状態が示されており、（ｂ）は電池蓋２０がヒンジ２２に対して開位置に位置した状態が示されている。
【００２７】
図３〜図７に示すように、ヒンジ２２は、主としてヒンジ本体３０と、そのヒンジ本体３０の基端部に一体的に形成された軸受部３２とで構成されており、金属（たとえば、真鍮やアルミ、ステンレス等）によって一体成形されている。
【００２８】
ヒンジ本体３０は、ほぼ矩形の板状に形成されており、その先端中央部に台形状の切欠き部３４が形成されている。この切欠き部３４は、後述するように、電池蓋２０の内側に形成された補強用のリブを回避するように形成されている。
【００２９】
ヒンジ本体３０の中央部には、ストッパ片３６が一体成形されている。このストッパ片３６は、ヒンジ本体３０をくり抜いて形成されており、ヒンジ本体３０のほぼ中央から先端に向けて直線状に延びる腕部３６ａと、その腕部３６ａの先端に形成された鉤部３６ｂとで構成されている。
【００３０】
腕部３６ａは、ヒンジ２２の回転軸４０と直交するように設けられており、一定の幅をもって形成されている。
【００３１】
鉤部３６ｂは、腕部３６ａの先端をヒンジ本体３０の裏面（電池蓋２０の内側面と対向する面）に向けて直角に折り曲げて形成されており、ヒンジ本体３０の裏面から所定量突出して形成されている。
【００３２】
また、ヒンジ本体３０には、一対のバネ片３８Ｒ、３８Ｌがストッパ片３６を挟んで左右対称に形成されている。各バネ片３８Ｒ、３８Ｌは、それぞれヒンジ本体３０をくり抜いて形成されており、ヒンジ本体３０の基端部から外側に湾曲して延びる腕部３８Ｒａ、３８Ｌａと、その腕部３８Ｒａ、３８Ｌａの先端に形成された突起部３８Ｒｂ、３８Ｌｂとで構成されている。
【００３３】
腕部３８Ｒａ、３８Ｌａは、上記のように、ヒンジ本体３０の基端部から外側に湾曲して形成されている。これは腕部３８Ｒａ、３８Ｌａの全長を長くして、弾性変形可能にするためであり、その先端部はヒンジ２２の回転軸４０と直交するように直線状に形成されている（ストッパ片３６と平行に形成されている）。
【００３４】
突起部３８Ｒｂ、３８Ｌｂは、腕部３８Ｒａ、３８Ｌａの先端をヒンジ本体３０の裏面に向けて円弧状に曲げて形成されており、ヒンジ本体３０の裏面から所定量突出して形成されている。この突起部３８Ｒｂ、３８Ｌｂの突出量は、ストッパ片３６の鉤部３６ｂの突出量とほぼ同じに形成されている。
【００３５】
バネ片３８Ｒ、３８Ｌは、突起部３８Ｒｂ、３８Ｌｂを押圧することにより、腕部３８Ｒａ、３８Ｌａが弾性変形して撓み、突起部３８Ｒｂ、３８Ｌｂへの押圧力を解除すると、弾性復帰して元の形状に復元する。
【００３６】
軸受部３２は、ヒンジ本体３０の基端部に一体的に形成されており、ヒンジ本体３０に対して一段高く形成された段部３２ａと、その段部３２ａの先端に形成された円筒部３２ｂとで構成されている。
【００３７】
段部３２ａは、ヒンジ本体３０から所定の高さをもって形成されており、ヒンジ本体３０の基端部を直角に二回折り曲げて階段状に形成されている。
【００３８】
円筒部３２ｂは、段部３２ａの先端をヒンジ本体３０の裏面側に丸めて形成されており、所定径の回転軸４０を挿通可能に形成されている。ヒンジ２２は、この円筒部３２ｂに回転軸４０を挿通させることにより、回転軸４０に対して回動自在に支持される。この回転軸４０は、カメラボディ１２に形成された図示しない軸受部に軸支され、これにより、ヒンジ２２がカメラボディ１２に対して揺動自在に支持される。
【００３９】
なお、このようにカメラボディ１２に対して揺動自在に支持されたヒンジ２２は、図２に示すように、回転軸４０に巻き付けられたトーションバネ４１により、常に電池蓋２０を開く方向に付勢される。
【００４０】
電池蓋２０は、図３〜図７に示すように、全体として矩形の板状に形成されており、その先端部がカメラボディ１２の底面部の形状に合わせて円弧状に湾曲して形成されている。すなわち、図１及び図２に示すように、本実施の形態のデジタルカメラ１０では、カメラボディ１２の底面の縁部が円弧状に面取りされていることから、このカメラボディ１２の底面の一部を構成する電池蓋２０も底面の縁部に該当する部分、すなわち先端部が円弧状に湾曲して形成されている。
【００４１】
電池蓋２０の裏側には、一対のガイド部４２Ｒ、４２Ｌが左右対称に形成されている。このガイド部４２Ｒ、４２Ｌは、電池蓋２０の内側面から垂直に立設された側面ガイド部４２Ｒａ、４２Ｌａと、その側面ガイド部４２Ｒａ、４２Ｌａの上端部に形成された上面ガイド部４２Ｒｂ、４２Ｌｂとで構成されている。
【００４２】
側面ガイド部４２Ｒａ、４２Ｌａは、それぞれ電池蓋２０の短辺と平行に設けられており、その間の距離はヒンジ２２の横幅とほぼ同じに形成されている。
【００４３】
上面ガイド部４２Ｒｂ、４２Ｌｂは、それぞれ側面ガイド部４２Ｒａ、４２Ｌａの上端部を互いに内側に向けて直角に折り曲げて形成されている。この上面ガイド部４２Ｒｂ、４２Ｌｂと電池蓋２０の裏面との間には、所定の隙間が形成されており、この隙間はヒンジ２２の厚さとほぼ同じに形成されている。
【００４４】
電池蓋２０は、この一対のガイド部４２Ｒ、４２Ｌの側面ガイド部４２Ｒａ、４２Ｌａと上面ガイド部４２Ｒｂ、４２Ｌｂとによって形成される空間にヒンジ２２のヒンジ本体３０を嵌め込むことにより、ヒンジ２２に対してスライド自在に支持される。すなわち、上面ガイド部４２Ｒｂ、４２Ｌｂが、電池蓋２０の内側面との間でヒンジ本体３０を上下から挟み込むことにより、電池蓋２０がヒンジ本体３０の裏面に沿ってスライド自在に支持され、かつ、側面ガイド部４２Ｒａ、４２Ｌａがヒンジ本体３０を左右から挟み込むことにより、電池蓋２０がヒンジ本体３０の両側部に沿ってスライド自在に支持される。この結果、電池蓋２０がヒンジ２２の回転軸４０と直交する方向（回転軸４０の半径方向）にスライド自在に支持される。
【００４５】
電池蓋２０の内側面には、ヒンジ２２に形成された一対のバネ片３８Ｒ、３８Ｌの突起部３８Ｒｂ、３８Ｌｂが嵌入される一対のロック用嵌入部４４Ｒ、４４Ｌと一対のロック解除用嵌入部４６Ｒ、４６Ｌとが形成されている。このロック用嵌入部４４Ｒ、４４Ｌとロック解除用嵌入部４６Ｒ、４６Ｌは、前記突起部３８Ｒｂ、３８Ｌｂが嵌入可能な凹部として形成されており、共に突起部３８Ｒｂ、３８Ｌｂの移動軌跡上に形成されている。そして、ロック用嵌入部４４Ｒ、４４Ｌは、電池蓋２０をヒンジ２２に対して閉位置にスライドさせた際、突起部３８Ｒｂ、３８Ｌｂが嵌入する位置に形成されており、ロック解除用嵌入部４６Ｒ、４６Ｌは、電池蓋２０をヒンジ２２に対して開位置にスライドさせた際、突起部３８Ｒｂ、３８Ｌｂが嵌入する位置に形成されている。
【００４６】
これにより、電池蓋２０は、開位置と閉位置とでクリックロックされる。すなわち、開位置にスライドさせると、ロック解除用嵌入部４６Ｒ、４６Ｌにバネ片３８Ｒ、３８Ｌの突起部３８Ｒｂ、３８Ｌｂが嵌入されて仮止めされ、閉位置にスライドさせると、ロック用嵌入部４４Ｒ、４４Ｌにバネ片３８Ｒ、３８Ｌの突起部３８Ｒｂ、３８Ｌｂが嵌入されて仮止めされる。
【００４７】
なお、この一対のロック用嵌入部４４Ｒ、４４Ｌと一対のロック解除用嵌入部４６Ｒ、４６Ｌとは、それぞれガイド部４２Ｒ、４２Ｌの近傍に形成される。これにより、電池蓋２０をガタつかせることなく、スライド自在に支持できる。
【００４８】
電池蓋２０の内側面には、ヒンジ２２に形成されストッパ片３６の鉤部３６ｂが収容されるストッパ溝（ストッパ用凹部）４８が形成されている。このストッパ溝４８は、電池蓋２０のスライド方向に沿って形成されており、その両端部にストッパ片３６の鉤部３６ｂが当接して、電池蓋２０のスライド範囲を規制する。すなわち、電池蓋２０を開位置にスライドさせると、その一端に鉤部３６ｂが当接して、それ以上のスライドを制限する一方、電池蓋２０を閉位置にスライドさせると、その他端に鉤部３６ｂが当接して、それ以上のスライドを制限する。これにより、電池蓋２０のスライド範囲が、開位置と閉位置との間に規制される。
【００４９】
なお、このストッパ溝４８は、鉤部３６ｂの突出量とほぼ同じ深さをもって形成される。したがって、電池蓋２０をスライドさせると、鉤部３６ｂは、このストッパ溝４８の底部を摺動する。このように、鉤部３６ｂがストッパ溝４８の底部を摺動するように形成することにより、電池蓋２０は、ヒンジ２２に形成された鉤部３６ｂと突起部３８Ｒｂ、３８Ｌｂの三点で支持された状態でヒンジ２２に対してスライドすることとなり、ガタつくことなく安定した状態でスライド操作することができるようになる。
【００５０】
電池蓋２０の内側には、先端部分に補強用のリブ５０が一体成形されている。このリブ５０は、台形状に形成されており、一対のロック用嵌入部４４Ｒ、４４Ｌと一対のロック解除用嵌入部４６Ｒ、４６Ｌと間に形成されている。電池蓋２０は、このリブ５０によって補強され、強度が確保されている。
【００５１】
また、電池蓋２０の内側には、先端の両端に係合部５２Ｒ、５２Ｌが形成されている。この係合部５２Ｒ、５２Ｌは、電池蓋２０をカメラボディ１２に係止させる作用を有し、電池蓋２０の内側面から垂直に立設された脚部５２Ｒａ、５２Ｌａと、その脚部５２Ｒａ、５２Ｌａの上端部に形成された係合片５２Ｒｂ、５２Ｌｂとで構成されている。脚部５２Ｒａ、５２Ｌａは、電池蓋２０のスライド方向に沿って直線状に形成されており、係合片５２Ｒｂ、５２Ｌｂは、その脚部５２Ｒａ、５２Ｌａの上端部を外側に向けて直角に折り曲げて形成されている。
【００５２】
図２に示すように、カメラボディ１２に形成された凹部２４の内側には、この係合部５２Ｒ、５２Ｌの係合片５２Ｒｂ、５２Ｌｂが嵌入される被係合部５４Ｒ、５４Ｌがカメラボディ１２の底面と平行に形成されている。
【００５３】
電池蓋２０は、ヒンジ２２に対して開位置に位置させた状態でカメラボディ１２の底面と平行にし、この状態で開位置から閉位置にスライドさせると、係合片５２Ｒｂ、５２Ｌｂが被係合部５４Ｒ、５４Ｌに嵌入して、カメラボディ１２に係止される。
【００５４】
また、カメラボディ１２に係止された状態で閉位置から開位置にスライドさせると、係合片５２Ｒｂ、５２Ｌｂが被係合部５４Ｒ、５４Ｌから抜けて、カメラボディ１２との係合が解除される。
【００５５】
以上のように構成された本実施の形態の電池蓋２０の作用は次のとおりである。
【００５６】
図１に示すように、電池蓋２０は、閉じられると、カメラボディ１２の底面部に形成された凹部２４に嵌合され、カメラボディ１２の外装と一体となって底面の一部を構成する。
【００５７】
電池蓋２０を開けるときは、電池蓋２０をカメラボディ１２の底面に沿って裏面側から正面側にスライドさせる。すなわち、電池蓋２０をカメラボディ１２の正面側に引き出す。
【００５８】
カメラボディ１２の正面側に引き出された電池蓋２０は、ストッパ片３６及びバネ片３８Ｒ、３８Ｌの作用によって開位置で停止する。すなわち、バネ片３８Ｒ、３８Ｌの突起部３８Ｒｂ、３８Ｌｂが、ロック解除用嵌入部４６Ｒ、４６Ｌに嵌入しクリックロックされるとともに、ストッパ片３６の鉤部３６ｂが、ストッパ溝４８の端部に当接して、開位置以上のスライドが規制される。
【００５９】
そして、この電池蓋２０が開位置にスライドすると、電池蓋２０の内側面に形成された係合片５２Ｒｂ、５２Ｌｂが、カメラボディ側に形成された被係合部５４Ｒ、５４Ｌから抜けて、カメラボディ１２との係合が解除される。
【００６０】
係合片５２Ｒｂ、５２Ｌｂが被係合部５４Ｒ、５４Ｌから抜けて、カメラボディ１２との係合が解除されると、電池蓋２０は、トーションバネ４１の付勢力によって凹部２４を開く方向に回動する。
【００６１】
これにより、凹部２４が開放され、その内側に形成された電池収納室とメモリカードスロットの開口部が露出して、電池及びメモリカードの交換が可能になる。
【００６２】
電池蓋２０を閉めるときは、まず、電池蓋２０をトーションバネ４１の付勢力に抗して凹部２４を閉じる方向に回動させ、電池蓋２０をカメラボディ１２の底面と平行な状態にする。次いで、この状態から電池蓋２０をカメラボディ１２に向けてスライドさせる。すなわち、カメラボディ１２に向けて押し込む。
【００６３】
電池蓋２０をカメラボディ１２に向けて押し込むと、凹部２４に嵌合すると同時に、電池蓋２０の内側面に形成された係合片５２Ｒｂ、５２Ｌｂが、カメラボディ側に形成された被係合部５４Ｒ、５４Ｌに嵌まり、カメラボディ１２に係止される。このとき、電池蓋２０は、その内側面に形成されたロック用嵌入部４４Ｒ、４４Ｌにバネ片３８Ｒ、３８Ｌの突起部３８Ｒｂ、３８Ｌｂが嵌入し、クリックロックされる。これにより、電池蓋２０は、ヒンジ２２に対して動くことなく、閉状態が維持される。
【００６４】
以上のように、本実施の形態の電池蓋２０は、カメラボディ１２の底面に沿ってスライドさせることにより、カメラボディ１２への係止／係止解除が行われる。この際、電池蓋２０は、バネ片３８Ｒ、３８Ｌとロック用嵌入部４４Ｒ、４４Ｌ及びロック解除用嵌入部４６Ｒ、４６Ｌとの作用により、所定の開位置と閉位置とでクリックロックされるが、このバネ片３８Ｒ、３８Ｌとロック用嵌入部４４Ｒ、４４Ｌ及びロック解除用嵌入部４６Ｒ、４６Ｌとが一対で構成されているため、バネ片３８Ｒ、３８Ｌから受ける荷重で撓んでしまうのを効果的に防止することができる。すなわち、従来の電池蓋では、クリックロック用のバネ片が電池蓋の中央に配置され、中央の一点でバネ片の荷重を受ける構成であったため、電池蓋が撓みやすい構成となっていたが、本実施の形態の電池蓋２０のように、バネ片３８Ｒ、３８Ｌとロック用嵌入部４４Ｒ、４４Ｌ及びロック解除用嵌入部４６Ｒ、４６Ｌを一対で構成することにより、電池蓋２０がバネ片３８Ｒ、３８Ｌから受ける荷重を中央から周囲に移動させることができ、バネ片３８Ｒ、３８Ｌから受ける荷重で電池蓋２０が撓むのを効果的に防止することができる。特に本実施の形態の電池蓋２０は、横長に形成され、その長辺方向に沿ってヒンジ２２の回転軸４０が配置された構成となっているため、バネ片３８Ｒ、３８Ｌとロック用嵌入部４４Ｒ、４４Ｌ及びロック解除用嵌入部４６Ｒ、４６Ｌを一対で構成することにより、電池蓋２０が撓むのを効果的に防止することができる。
【００６５】
また、本実施の形態の電池蓋２０は、ロック用嵌入部４４Ｒ、４４Ｌ及びロック解除用嵌入部４６Ｒ、４６Ｌをガイド部４２Ｒ、４２Ｌの近傍に配置しているので、バネ片３８Ｒ、３８Ｌから受ける荷重で電池蓋２０が撓んでしまうのを更に効果的に防止することができる。
【００６６】
このように、本実施の形態の電池蓋２０の構造によれば、電池蓋２０の撓みを効果的に防止することができるので、樹脂製の電池蓋２０を可能な限り薄く形成することができる。
【００６７】
また、本実施の形態の電池蓋２０は、一対で構成されたロック用嵌入部４４Ｒ、４４Ｌとロック解除用嵌入部４６Ｒ、４６Ｌとを左右対称に配置しているので、電池蓋２０の中央に補強用のリブ５０を形成することができる。これにより、樹脂製の電池蓋２０を薄く形成した場合であっても、強度を確保することができる。
【００６８】
さらに、本実施の形態の電池蓋２０は、バネ片３８Ｒ、３８Ｌとロック用嵌入部４４Ｒ、４４Ｌ及びロック解除用嵌入部４６Ｒ、４６Ｌを一対で構成するとともに、その間にストッパ片３６を配置し、電池蓋２０をヒンジ２２に対して三点で支持する構成としているので、電池蓋２０を薄く形成した場合であっても、ガタなく安定した状態で電池蓋２０を支持することができる。
【００６９】
以上のように、本実施の形態の電池蓋２０の構造によれば、樹脂製の電池蓋２０を可能な限り薄く形成することができるので、デジタルカメラ１０の外観の品質、及び、デザインの自由度を向上させることができる。すなわち、電池蓋２０を薄型化できることにより、カメラボディ１２の外観に現れる電池蓋２０の輪郭線を可能な限り小さくでき、デジタルカメラ１０の外観の品質、及び、デザインの自由度を向上させることができる。たとえば、本実施の形態のデジタルカメラの場合、カメラボディ１２の正面の下縁部に電池蓋２０の輪郭線が現れるが、電池蓋２０を薄く形成できることにより、このカメラボディ１２の正面側に現れる輪郭線を目立たなくすることができる。また、本実施の形態のデジタルカメラの場合、カメラボディ１２の正面にレンズカバー１４が配置された構成になっているが、電池蓋２０を薄く形成できることにより、カメラボディ１２の全高にわたってレンズカバー１４で覆うデザインが可能になる。
【００７０】
なお、本実施の形態のデジタルカメラ１０では、カメラボディ１２の底面に電池蓋２０を配置しているが、電池蓋２０を配置する箇所は、これに限定されない。たとえば、カメラボディ１２の側面に配置する構成としてもよい。この場合も電池蓋を薄く形成できるので、外観を損なうことがない。
【００７１】
なお、上記のように、電池蓋は、その輪郭線が目立って現れると、外観の品質を損なうので、底面に配置することが好ましい。この場合、電池蓋は、底面と他の一面にのみ輪郭線が現れるように配置することが好ましい（本実施の形態のデジタルカメラの場合、底面と正面の下縁部にのみ輪郭線が現れている）。すなわち、電池蓋を底面の右隅又は左隅に配置すると、カメラボディ１２の正面の他、右側面又は左側面の下縁部にも輪郭線が現れることとなるので、このように多面にわたって輪郭線が現れないように、電池蓋は、底面と他の一面にのみ輪郭線が現れるように配置することが好ましい。たとえば、底面と右側面にのみ、あるいは、底面と左側面にのみ輪郭線が現れるように配置することが好ましい。
【００７２】
また、本実施の形態では、本発明をデジタルカメラの電池蓋に適用した場合を例に説明したが、本発明の適用は、これに限定されるものではない。この他、銀塩カメラやビデオカメラ、携帯電話機、ノートパソコン、ＰＤＡ、携帯音楽プレイヤ等の電池蓋やメディアスロットの蓋（カバーを含む）、端子部の蓋（カバーを含む）等にも適用することができる。特に、外観のデザインが重要視される携帯機器に適用した場合に有効に作用する。
【図面の簡単な説明】
【００７３】
【図１】本発明に係る蓋構造が電池蓋に適用されたデジタルカメラの一例を示す正面斜視図（電池蓋を閉めた状態）
【図２】本発明に係る蓋構造が電池蓋に適用されたデジタルカメラの一例を示す正面斜視図（電池蓋を開いた状態）
【図３】電池蓋の構成を示す斜視図
【図４】電池蓋の構成を示す平面図
【図５】電池蓋の構成を示す側面図
【図６】電池蓋の構成を示す側面断面図（図４の６−６断面図）
【図７】電池蓋の構成を示す正面図
【符号の説明】
【００７４】
１０…デジタルカメラ、１２…カメラボディ（カメラ本体）、１４…レンズカバー、１６…撮影レンズ、２０…電池蓋（蓋部材）、２２…ヒンジ、２４…凹部、３０…ヒンジ本体、３２…軸受部、３４…切欠き部、３６…ストッパ片、３６ａ…腕部、３６ｂ…鉤部、３８Ｒ、３８Ｌ…バネ片、３８Ｒａ、３８Ｌａ…腕部、３８Ｒｂ、３８Ｌｂ…突起部、４０…回転軸、４２Ｒ、４２Ｌ…ガイド部、４４Ｒ、４４Ｌ…ロック用嵌入部、４６Ｒ、４６Ｌ…ロック解除用嵌入部、４８…ストッパ溝、５０…リブ、５２Ｒ、５２Ｌ…係合部、５４Ｒ、５４Ｌ…被係合部
【図１】
2008103265.tif 000003
【図２】
2008103265.tif 000004
【図３】
2008103265.tif 000005
【図４】
2008103265.tif 000006
【図５】
2008103265.tif 000007
【図６】
2008103265.tif 000008
【図７】
2008103265.tif 000009